(57)【特許請求の範囲】
【請求項１】
スターカプラにサーバ及び複数のノードが接続された、ネットワーク全体で１波長を用いる光ネットワークシステムのノードにおいて、
可変に設定できる送信用拡散符号に従い、上記サーバ及び他の上記ノードへの送信光信号を形成して、光信号送信端から送信する送信手段と、
上記サーバから供給されたクロック成分に同期して受信用拡散符号を生成する、受信用拡散符号を可変設定できる受信用拡散符号生成手段と、
生成された受信用拡散符号に従い、光信号受信端に到来した他の上記ノードからの受信光信号を受信処理する受信手段と、
拡散符号による拡散がなされていない上記光信号受信端に到来した上記サーバからの受信光信号を受信処理する制御信号受信手段と、
上記サーバとの制御信号の授受により、他の上記ノードとの上記サーバを介在しない通信のための送信用及び受信用の拡散符号を獲得して、上記送信手段及び上記受信手段に設定する拡散符号設定手段と、
光符号同期を行うために、上記サーバからクロック成分を抽出すると共に、上記受信手段での逆拡散処理に供する受信光信号と受信用拡散符号との位相を合わせる符号同期化手段とを有し、
上記符号同期化手段は、
上記サーバからの受信光信号から上記クロック成分を抽出するクロック再生部と、
受信光信号に対して受信用拡散符号を用いて逆拡散する逆拡散部と、
光信号受信端に到来した他の上記ノードからの受信光信号が、上記逆拡散部に至るまでの経路に設けられ、他の上記ノードからの受信光信号を遅延させる可変光信号遅延部と、
上記逆拡散部から出力された光信号のレベルに応じ、上記可変光信号遅延部の遅延量を制御する遅延量制御部とを有する
ことを特徴とするノード。
【請求項２】
スターカプラにサーバ及び複数のノードが接続された、ネットワーク全体で１波長を用いる光ネットワークシステムにおいて、
上記各ノードが請求項１に記載のノードであり、
上記サーバが、
上記各ノードへの制御信号に係る、内部生成したクロック成分に同期した送信光信号を、光信号送信端から送信する送信手段と、
内部生成したクロック成分に同期した固定された受信用拡散符号に従い、光信号受信端に到来した上記各ノードからの受信光信号から制御信号を得る受信手段と、
上記各ノードとの制御信号の授受により、当該サーバを介在しないノード間通信を求めている２個の上記ノードに付与する、今まで空き状態の拡散符号を定めて、それらノードに通知する拡散符号付与手段と、
上記受信手段での逆拡散処理に供する受信光信号と受信用拡散符号との位相を合わせる符号同期化手段とを有し、
上記符号同期化手段は、
上記クロック成分を生成するクロック生成部と、
受信光信号に対して受信用拡散符号を用いて逆拡散する逆拡散部と、
光信号受信端に到来したいずれかの上記ノードからの受信光信号が、上記逆拡散部に至るまでの経路に設けられ、上記ノードからの受信光信号を遅延させる可変光信号遅延部と、
上記逆拡散部から出力された光信号のレベルに応じ、上記可変光信号遅延部の遅延量を制御する遅延量制御部とを有する
ことを特徴とする光ネットワークシステム。
【発明の詳細な説明】
【０００１】
【発明の属する技術分野】
本発明は、光ネットワークシステム、並びに、その光ネットワークシステムの構成要素であるノードに関し、特に、ノード間通信をサーバを介さずにランダムに実行できるようにしたものである。
【０００２】
【従来の技術】
近年、高速、大容量化に適した光ネットワークシステムとして、光信号の多重技術が注目されている。時分割多重（ＴＤＭ）は、１つの伝送路を時間的に多重するものであり、１チャネル当たりの容量及びチャネル数が増すと、高速な光送受信機及び電気回路が必要になる。また、最近では光パルス（ＲＺ信号）による光時分割多重（ＯＴＤＭ）も検討されているが、同程度（速度）の電気処理技術を伴う。波長多重技術（ＷＤＭ）は、光波長で多重を行うもので、信号速度を上げることなく、伝送容量を拡大できる。しかし、数多くのチャネル（波長数）を確保するには、送受信（光源、光フィルタ）の波長安定化が問題なり、高コストになる。現状の実用機では１００波長程度であるが、高コストである。これらの技術は、基幹系（バックボーン）のような莫大なデータを転送するには有効な技術である。さらに、光符号化多重により、多重度を稼ぐ方法も検討されている。光符号化多重は、これ自身では他の多重技術には劣るが、他の技術と容易に組み合わせることができ、例えば、波長多重技術の波長数を増やすのが苦しい場合には、この光符号化多重を組み合わせることにより、チャネル数を増やすことができる。
【０００３】
また、アクセス系のネットワークにも大容量化が求められつつあり、ＡＴＭ（非同期転送モード）によるＰＯＮ（受動光ネットワーク）システムが検討されている。このネットワークは、局装置（サーバ）に対して、各ノードはＡＴＭセルによる時分割多重で通信を行うものである。ユーザ（ノード）の各データは全て、ＡＴＭセルにパケット化され（レイヤ２の処理）、さらにレイヤ１のＳＤＨフレームを利用してサーバとの通信を行うものである。
【０００４】
なお、符号化多重技術は、無線システムにも適用されており、限られた帯域内で有効利用するために利用されている。
【０００５】
【発明が解決しようとする課題】
ＡＴＭ−ＰＯＮ等のＰＯＮシステムは、サーバに対し、時分割多重によりデータの授受を行うために、サーバに交換処理が集中し、大容量化が難しい。また、無線システムでは帯域の制限があり、大容量化が難しい。
【０００６】
そのため、局装置（サーバ）の交換負荷を抑え、大容量化に容易に対応できる光ネットワークシステムが求められており、また、そのような光ネットワークシステムを実現できるノードが求められている。
【０００７】
【課題を解決するための手段】
かかる課題を解決するため、第１の本発明は、スターカプラにサーバ及び複数のノードが接続された、ネットワーク全体で１波長を用いる光ネットワークシステムのノードにおいて、（１）可変に設定できる送信用拡散符号に従い、上記サーバ及び他の上記ノードへの送信光信号を形成して、光信号送信端から送信する送信手段と、（２）上記サーバから供給されたクロック成分に同期して受信用拡散符号を生成する、受信用拡散符号を可変設定できる受信用拡散符号生成手段と、（３）生成された受信用拡散符号に従い、光信号受信端に到来した他の上記ノードからの受信光信号を受信処理する受信手段と、（４）拡散符号による拡散がなされていない上記光信号受信端に到来した上記サーバからの受信光信号を受信処理する制御信号受信手段と、（５）上記サーバとの制御信号の授受により、他の上記ノードとの上記サーバを介在しない通信のための送信用及び受信用の拡散符号を獲得して、上記送信手段及び上記受信手段に設定する拡散符号設定手段と、（６）光符号同期を行うために、上記サーバからクロック成分を抽出すると共に、上記受信手段での逆拡散処理に供する受信光信号と受信用拡散符号との位相を合わせる符号同期化手段とを有し、上記符号同期化手段は、（６−１）上記サーバからの受信光信号から上記クロック成分を抽出するクロック再生部と、（６−２）受信光信号に対して受信用拡散符号を用いて逆拡散する逆拡散部と、（６−３）光信号受信端に到来した他の上記ノードからの受信光信号が、上記逆拡散部に至るまでの経路に設けられ、他の上記ノードからの受信光信号を遅延させる可変光信号遅延部と、（６−４）上記逆拡散部から出力された光信号のレベルに応じ、上記可変光信号遅延部の遅延量を制御する遅延量制御部とを有することを特徴とする。
【０００９】
また、第２の本発明の光ネットワークシステムは、スターカプラにサーバ及び複数のノードが接続された、ネットワーク全体で１波長を用いる光ネットワークシステムにおいて、（１）上記各ノードが第１の本発明のノードであり、（２）上記サーバが、（２−１）上記各ノードへの制御信号に係る、内部生成したクロック成分に同期した送信光信号を、光信号送信端から送信する送信手段と、（２−２）内部生成したクロック成分に同期した固定された受信用拡散符号に従い、光信号受信端に到来した上記各ノードからの受信光信号から制御信号を得る受信手段と、（２−３）上記各ノードとの制御信号の授受により、当該サーバを介在しないノード間通信を求めている２個の上記ノードに付与する、今まで空き状態の拡散符号を定めて、それらノードに通知する拡散符号付与手段と、（２−４）上記受信手段での逆拡散処理に供する受信光信号と受信用拡散符号との位相を合わせる符号同期化手段とを有し、上記符号同期化手段は、（２−４−１）上記クロック成分を生成するクロック生成部と、（２−４−２）受信光信号に対して受信用拡散符号を用いて逆拡散する逆拡散部と、（２−４−３）光信号受信端に到来したいずれかの上記ノードからの受信光信号が、上記逆拡散部に至るまでの経路に設けられ、上記ノードからの受信光信号を遅延させる可変光信号遅延部と、（２−４−４）上記逆拡散部から出力された光信号のレベルに応じ、上記可変光信号遅延部の遅延量を制御する遅延量制御部とを有することを特徴とする。
【００１０】
【発明の実施の形態】
（Ａ）各実施形態に共通な技術思想
以下では、本発明の第１及び第２の実施形態を説明するが、それに先立ち、両実施形態に共通する技術思想を簡単に説明する。
【００１１】
各実施形態は、サーバ及び複数のノードをスター状に収容したスターカプラを通過することによる多重方式として、光信号の多重方式（光波長多重、光符号多重）を用いることにより非同期に多重が行うことができるようにすると共に、ノードが使用する波長又は及び符号を可変にすることにより、ランダム的にノード間通信を行うことができるようにしたものである。
【００１２】
その結果、サーバを介さずにノード間通信を行うことができ、サーバの交換負荷を抑えることができ、大容量化に対応でき、ランダムに通信を行うことができるものである。
【００１３】
（Ｂ）第１の実施形態
次に、本発明の光ネットワークシステム、ノード及びサーバの第１の実施形態を図面を参照しながら説明する。なお、この第１の実施形態は、光符号化多重方式を利用したものである。
【００１４】
（Ｂ−１）第１の実施形態の構成
（Ｂ−１−１）第１の実施形態の全体構成
図２は、第１の実施形態の光ネットワークシステム１の構成を示すブロック図である。
【００１５】
図２において、第１の実施形態の光ネットワークシステム１は、サーバ（局装置）２及び複数（図２では７個の例）のノード３−１〜３−７が、スターカプラ４に収容されているスター状ネットワークである。この光ネットワークシステム１は、送信元及び送信先に拘わらず、システム全体が、同一波長で通信を行うものである。
【００１６】
スターカプラ４は、サーバ２からの光信号を全てのノード３−１〜３−７に分配配信すると共に、あるノード３−Ｓ（Ｓは１〜７のいずれか）からの光信号を他の全てのノード３−１〜３−７（但し３−Ｓは除く）及びサーバ２に分配配信するものである。なお、スターカプラ４については、その詳細構成の説明は省略する。
【００１７】
サーバ２は、後述する図４に示す詳細構成を有し、クロックや制御信号（サーバ信号）を各ノード３−１〜３−７に与えるものである。サーバ２から各ノード３−１〜３−７への制御信号は、例えばポーリング方式に従っている（図５参照）。この制御信号は、例えば、ノード間通信でのパスＰ１、Ｐ２を設定させたり、各ノード３−１〜３−７に通信権を付与したりするためのものである。ノード間通信でのパスＰ１、Ｐ２の設定の制御信号には、そのパスＰ１やＰ２での通信に使用する拡散符号の種類特定情報が含まれている。なお、制御信号は、拡散符号による拡散処理がなされることなく、サーバ２から出力されるものである。
【００１８】
サーバ２には、各ノード３−１〜３−７からのユーザ信号が与えられる。このユーザ信号は、例えば、各ノード３−１〜３−７がパスＰ１、Ｐ２の設定を要求するメッセージやその解除を要求するメッセージなどが含まれているものである。
【００１９】
各ノード３−１〜３−７はそれぞれ、図３に示す詳細構成を有し、サーバ２とは、ノード間通信のためのパスＰ１、Ｐ２の設定、解除のための通信を行い、他のノードとはノード間通信を行うものである。なお、各ノード３−１〜３−７からのユーザ信号は、拡散符号による拡散処理がなされたものである。
【００２０】
図１は、第１の実施形態の光ネットワークシステム１での光信号の状態を示している。なお、図１は、ノードがノード３−Ａ及び３−Ｂの２個の場合を示している。
【００２１】
図１において、サーバ２からのサーバ信号は拡散処理が施されていないので狭帯域の信号となっており、そのレベル（光強度）は大きい。一方、ノード３−Ａ、３−Ｂからのユーザ信号Ａ、Ｂはそれぞれ、拡散処理が施されているので広帯域の信号となっており、そのレベルは小さい（ノイズレベルである）。スターカプラ４の機能により、ノード３−Ａにはサーバ信号及びユーザ信号Ｂの多重信号が到達し、ノード３−Ａにはサーバ信号及びユーザ信号Ｂの多重信号が到達し、ノード３−Ｂにはサーバ信号及びユーザ信号Ａの多重信号が到達し、サーバ２にはユーザ信号Ａ及びＢの多重信号が到達する。
【００２２】
例えば、ノード３−Ａに、光／電気変換器（Ｏ／Ｅ）３Ａ１及び逆拡散用の相関器３Ａ２を設けておくと、光／電気変換器（Ｏ／Ｅ）３Ａ１からの出力信号は、入力多重信号と同様にサーバ信号が大きくユーザ信号Ｂがノイズレベルをとるものとなり、一方、相関器３Ａ２からの出力信号は、逆拡散処理によりユーザ信号Ｂが狭帯域のレベルが大きく、サーバ信号が広帯域のノイズレベルをとるものとなる（サーバ信号から見れば逆拡散処理は拡散処理になっている）。すなわち、サーバ信号及びユーザ信号Ｂを容易に弁別して受信することができる。なお、相関器３Ａ２の逆拡散符号は、ユーザ信号Ｂに対応したものとしておく。
【００２３】
ノード３−Ｂにおいても、ノード３−Ａと同様に、光／電気変換器（Ｏ／Ｅ）及び逆拡散用の相関器により、サーバ信号及びユーザ信号Ａを容易に弁別して受信することができる。
【００２４】
サーバ２においては、図示は省略するが、逆拡散用の相関器を設け、その相関器にユーザ信号Ａ及びＢの一方に対応する拡散符号を設定することにより、ユーザ信号Ａ及びＢの多重信号が入力されても、ユーザ信号Ａ及びＢの一方を選択的に受信することができる。
【００２５】
（Ｂ−１−２）第１の実施形態のノードの詳細構成
次に、第１の実施形態のノード３（３−１〜３−７、３−Ａ、３−Ｂ）の詳細構成について、図３を参照しながら説明する。
【００２６】
図３において、ノード３は、ユーザデータの入出力端子ＵＩ及びＵＯと、バッファメモリ１１と、電気／光変換器（Ｅ／Ｏ）１２と、送信用相関器（光変調器）１３と、送信用符号生成回路１４と、データ識別回路１５と、１×２カプラ１６と、制御信号用光／電気変換器（ＰＤ）１７と、ＰＬＬ（Ｐｈａｓｅ  Ｌｏｃｋｅｄ  Ｌｏｏｐ）回路１８と、電圧制御発振器（ＶＣＯ）１９と、光ディレイライン２０と、受信用相関器（光変調器）２１と、受信用符号生成回路２２と、受信用光／電気変換器（ＰＤ）２３と、積分回路２４と、レベル判定回路２５と、ディレイ制御回路２６と、通信制御回路２７と、光信号入出力端子ＮＩ及びＮＯを有する。
【００２７】
ユーザデータ入出力端子ＵＩ及びＵＯは、情報処理装置などの図示しないユーザ端末と接続されており、一方、光信号入出力端子ＮＩ及びＮＯはスターカプラ４と繋がっている光ファイバに接続されている。
【００２８】
ユーザデータ入力端子ＵＩからの送信ユーザデータは、バッファメモリ１１及びデータ識別回路１５に与えられる。
【００２９】
バッファメモリ１１は、そのユーザデータを通信制御回路２７が指示するタイミングまで一時蓄積するものであり、通信制御回路２７の指示に従い、蓄積したユーザデータを電気／光変換器１２に与えるものである。
【００３０】
電気／光変換器１２は、入力されたユーザデータをネットワーク１全体で共通な波長の光信号に変換して送信用相関器１３に与えるものである。
【００３１】
送信用相関器１３は、電気／光変換器１２からの光信号に対し、送信用符号生成回路１４から与えられた拡散符号を用いて拡散処理し、処理後の光信号（光符号化信号）を光信号出力端子ＮＯからネットワーク側に送信するものである。
【００３２】
送信用符号生成回路１４は、通信制御回路２７によって指示された拡散符号を、サーバ２のクロックに同期させて生成して、送信用相関器１３に与えるものである。送信用符号生成回路１４は、例えば、ユーザデータの送信先がサーバ２であればそれに応じた拡散符号を生成し、ノード間通信に係るユーザデータであれば、サーバ２によってそのノード間通信用（パス用）に割り当てられた拡散符号を設定する。なお、サーバ２に対する拡散符号は全てのノードについて共通であっても良く、また、送信用符号生成回路１４は、サーバ２に対する拡散符号を生成し得る状態を基本状態とし、ノード間通信時にのみ、生成する拡散符号を切り替えるものであっても良い。
【００３３】
データ識別回路１５は、ユーザデータの種別を判別して通信制御回路２７に与えるものである。データ識別回路１５は、例えば、ユーザデータがサーバ２に対するものであるかや、他のノードに与えるもの（ノード間通信に供するデータ）かを識別するものである。
【００３４】
通信制御回路２７は、ユーザデータの送信面からは、そのユーザデータの種別や宛先（サーバ２又は他のノード）に応じて、送信用符号生成回路１４から出力させる拡散符号を切り替えたり、後述する制御信号用光／電気変換器（ＰＤ）１７からの信号に基づき、サーバ２に対するユーザデータは送信権を獲得したときにバッファメモリ１１から出力させたりなどするものである。
【００３５】
光信号入力端子ＮＩからの光信号（スターカプラ４からの光信号）は、１×２カプラ１６に与えられる。１×２カプラ１６は、入力された光信号を２分岐し、一方の分岐光信号を制御信号用光／電気変換器１７に与え、他方の分岐光信号を光ディレイライン２０に与えるものである。
【００３６】
制御信号用光／電気変換器１７は、入力された光信号を電気信号に変換するものであり、その出力信号を、ＰＬＬ回路１８及び通信制御回路２７に与えるものである。この制御信号用光／電気変換器１７は、上述した図１でのノード３−Ａ内の光／電気変換器３Ａ１に相当するものであり、入力信号がサーバ信号（制御信号）及びユーザ信号が多重されているものであっても、サーバ信号レベルがユーザ信号レベルより大きい状態を維持したまま電気信号に変換するものである。
【００３７】
なお、通信制御回路２７は、制御信号用光／電気変換器１７からの出力信号から、サーバ信号（制御信号）の内容を認識する。ここで、通信制御回路２７は、レベル判定回路やフィルタなどを適宜内蔵している。
【００３８】
ＰＬＬ回路１８は、電圧制御発振器（ＶＣＯ）１９と共に、クロック同期回路を構成しているものであり、制御信号用光／電気変換器１７からの出力信号に基づき、その出力信号に含まれている、サーバ２が送信したクロック（クロック成分）を抽出して、送信用符号生成回路１４及び受信用符号生成回路２２に与えるものである。なお、一般的には、ＰＬＬ回路は、電圧制御発振器を内蔵しているものであるが、図３では、ＰＬＬ回路が内蔵する電圧制御発振器を書き出して示している。
【００３９】
光ディレイライン２０は、遅延量を可変し得るものであり、１×２カプラ１６からの出力光信号を、ディレイ制御回路２６による制御遅延量だけ遅延させて受信用相関器（光変調器）２１に与えるものである。
【００４０】
受信用相関器２１は、受信用符号生成回路２２から与えられた拡散符号を用いて、光ディレイライン２０からの光信号に対して逆拡散処理を行うものである。ここで、光ディレイライン２０からの光信号に複数の符号化信号が多重されていても、拡散符号に対するものが逆拡散処理により浮かび上がり（狭帯域の大きなレベル信号となり）、他の符号化信号はノイズレベルを維持したものとなっている。また、光ディレイライン２０からの光信号に狭帯域のレベルが大きいサーバ信号（制御信号）が多重されていても、そのサーバ信号は逆拡散処理によりその拡散符号で拡散されてしまい、広帯域のノイズレベルに変換される。以上のようにして、逆拡散処理により所定のユーザ信号だけが浮かび上がった光信号が受信用光／電気変換器（ＰＤ）２３に与えられる。この受信用相関器２１は、上述した図１でのノード３−Ａ内の相関器３Ａ２に相当する。
【００４１】
受信用符号生成回路２２は、通信制御回路２７の制御下で、クロック同期回路（１８、１９）からのクロックに同期して、パスが張られている当該ノードと他のノードとの間の通信に、サーバ２が割り当てた符号を生成して相関器２１に与えるものである。
【００４２】
以上のように、通信制御回路２７は、ユーザデータの受信面からは、当該ノードと他のノードとの間の通信にサーバ２が割り当てた符号を、受信用符号生成回路２２が生成するように制御するものである。
【００４３】
受信用光／電気変換器２３は、受信用相関器２１からの出力光信号を電気信号に変換して積分回路２４に与えるものである。
【００４４】
積分回路２４は、変換された電気信号を積分して他のノードが送信しようとしたユーザデータを復号するものである（積分処理によりノイズ成分が除去される）。
【００４５】
レベル判定回路２５は、積分回路２４からの出力信号のレベル判定を行い、ユーザデータ中の同期信号部分を認識して、タイミング調整信号をディレイ制御回路２６に与えるものである。また、同期確立後には、ユーザデータをユーザデータ出力端子ＵＯからユーザ端末に出力するものである。
【００４６】
ディレイ制御回路２６は、レベル判定回路２５からのタイミング調整信号に応じて光ディレイライン２０での遅延量を設定させるものである。なお、相関器２１での光信号及び拡散符号のタイミングを合わせるために、受信用符号生成回路２２の生成タイミングを調整するようにしても良い。
【００４７】
（Ｂ−１−３）第１の実施形態のサーバの詳細構成
次に、第１の実施形態のサーバ２の詳細構成について、図４を参照しながら説明する。
【００４８】
図４において、第１の実施形態のサーバ２は、通信制御回路３０と、制御情報部３１と、電圧制御発振器（ＶＣＯ）３２と、電気／光変換器（Ｅ／Ｏ）３３と、光ディレイライン３４と、相関器（光変調器）３５と、符号生成回路３６と、光／電気変換器（ＰＤ）３７と、積分回路３８と、レベル判定回路３９と、ディレイ制御回路４０と、光信号入出力端子ＮＩ及びＮＯとを有する。
【００４９】
通信制御回路３０は、ノード間通信のためのパス設定や解除に必要な情報の送受信を制御するものであり、所定のノードに宛てた所定の制御情報（制御信号）を制御情報部３１に与えるものである。なお、通信制御回路３０は、その時点でネットワークに張られているパスに付与されている拡散符号の管理も行っている。また、サーバ２及びノード３間の通信は、ポーリング方式を採用しているので、各ノード３に対する通信権の付与制御も行っている。
【００５０】
制御情報部３１は、通信制御回路３０からの制御信号に、電圧制御発振器（ＶＣＯ）３２が生成したクロックの成分を盛り込んで出力するものである。
【００５１】
電圧制御発振器（ＶＣＯ）３２は、クロック生成回路として設けられているものであり、生成したクロックを制御情報部３１及び符号生成回路３６に与えるものである。
【００５２】
電気／光変換器３３は、入力されたクロック成分を含む制御信号をネットワーク１全体で共通な波長の光信号に変換して光信号出力端子ＮＯからネットワーク側に送信するものである。
【００５３】
以上のように、信号の送信構成は、ノード３の構成と異なっているが、信号の受信構成は、ノード３の構成とほぼ同様である。異なる点は、サーバ２であるので、サーバ信号の受信構成を備えない点である。すなわち、ユーザ信号を受信するための構成である、光ディレイライン３４、相関器（光変調器）３５、符号生成回路３６、光／電気変換器（ＰＤ）３７、積分回路３８、レベル判定回路３９及びディレイ制御回路４０だけが設けられている。なお、レベル判定回路３９から出力されたユーザデータは、通信制御回路３０に与えられるようになされている。
【００５４】
（Ｂ−２）第１の実施形態の動作
以下、第１の実施形態の光ネットワークシステム１の動作を説明する。
【００５５】
第１の実施形態の光ネットワークシステム１において、ノード３間の通信は、光符号化信号で授受するが、送信符号と受信符号を所望のノード３間で取り決めを行って通信する。このとき、各ノード３は、送信符号及び受信符号をチューニングし、データの送受信を行う。すなわち、各ノード３の送信構成及び受信構成は符号可変の機能を具備することとなる。また、このとき使用する符号をサーバ２が管理し、各ノード３はサーバ２とアクセスすることにより、使用可能な符号を取得する。この符号が異なれば、他の通信に干渉しないので、図１のように同時に複数の通信パスＰ１、Ｐ２が張られ、各ノード３間で通信が行える。この通信パスＰ１、Ｐ２は通信要求が発生した場合のみ張るので、ネットワーク中のノード３で各パス（符号）を共有することで、限られたパスを有効に利用することができる。
【００５６】
以下では、第１の実施形態の光ネットワークシステム１の通信動作を分かりやすくするために、データ処理動作、符号の同期動作、コネクション確立動作（ノード間通信動作）に分けて説明する。
【００５７】
（Ｂ−２−１）第１の実施形態のデータ処理動作
＜ノード３の送受信動作＞
まず、ノード３内でのデータ処理（送受信動作）について、図３を用いて説明する。
【００５８】
＜ノード３の送信動作＞
ユーザ端末からユーザデータが与えられると、そのユーザデータをバッファメモリ１１に蓄積すると共に、データ識別回路１５でデータ種類を識別し、通信制御回路２７に識別情報を渡す。通信制御回路２７は、識別情報に基づき、少なくとも送信用拡散符号を選定し、送信用符号生成回路１４に設定する。なお、識別情報に基づき、受信用拡散符号をも選定して、受信用符号生成回路２２に設定することもあり得る。
【００５９】
その後、通信制御回路２７は、バッファメモリ１１からユーザデータを出力させ、電気／光変換器１２によって光信号（光データ信号）に変換させ、さらに、相関器１３によって生成された拡散符号により、光データ信号を符号化（拡散）させて光信号出力端子ＮＯから出力させる。
【００６０】
＜ノード３の受信動作＞
光信号入力端子ＮＩを介してネットワークから受信した光信号は、１×２カプラ１６で分岐され、一方の分岐光信号は、制御信号用光／電気変換器（ＰＤ）１７に与えられ、他方の分岐光信号は、光ディレイライン２０に与えられる。
【００６１】
制御信号用光／電気変換器（ＰＤ）１７は、入力光信号を電気信号に変換して、サーバ２からの制御信号（データ）として通信制御回路２７へ通知すると共に、変換した電気信号を、ＰＬＬ回路１８及び電圧制御発振器１９でなるデータ同期回路に与えてクロックを再生させる。生成されたクロックは、送信用及び受信用の符号生成回路１４及び２２に与えられ、これにより、ネットワーク全体での同期通信が可能となされている。
【００６２】
光ディレイライン２０〜ディレイ制御回路２６は、ユーザデータの受信部を構成している。他方の分岐光信号は、光ディレイライン２０でタイミング調整されて、相関器２１に与えられ、この相関器２１によって、受信用符号生成回路２２が生成した符号によって逆拡散される。逆拡散処理後の光信号は、受信用光／電気変換器２３によって電気信号に変換された後、さらに、積分回路２４によって積分されて復号される。レベル判定回路２５においては、同期用に復号した信号のレベルを識別し、ディレイ制御回路２６を介して光ディレイライン２０でのタイミングを調整させ、同期が確立したら、レベル判定回路２５は、復号データをユーザデータ出力端子ＵＯからユーザ端末に出力する。
【００６３】
＜サーバ２の送受信動作＞
次に、サーバ２内でのデータ処理（送受信動作）について、図４を用いて説明する。
【００６４】
送信時には、通信制御回路３０からの制御情報と電圧制御発振器３２からのクロック成分情報を、制御情報部３１が合成し、その合成後の制御信号を、電気／光変換器３３が光信号に変換して、光信号出力端子ＮＯからネットワークに送信する。以上のように、サーバ２においては、拡散処理（光符号化処理）を行うことなく送信を行う。
【００６５】
一方、サーバ２での受信動作は、上述したノード３での受信動作とほぼ同様である。但し、サーバ２がクロックの送信元であるので、クロック同期用の機能はない。また、同期確立後の受信ユーザデータは、レベル判定回路３９から通信制御回路３０に与えられる。
【００６６】
（Ｂ−２−２）第１の実施形態の符号の同期動作
次に、第１の実施形態の光ネットワークシステム１での符号の同期動作について図１〜図４を用いて説明する。
【００６７】
クロックは、サーバ２からスターカプラ４を介して各ノード３に分配し、これにより、各ノード３でのＰＬＬ回路１８が位相同期処理を行い、電圧制御発振器１９からの出力信号の周波数（及び位相）をサーバ２の電圧制御発振器３２の出力信号のものに合わせる。なお、サーバ２からの出力信号（サーバ信号）は、拡散処理が行なわれておらず、ＰＬＬ動作が容易に実行でき、また、ノード３でのユーザ信号の受信に影響しないようにしている。
【００６８】
スペクトル拡散通信（光符号化通信）においては、パルス信号を拡散することにより、スペクトルが広がりノイズ成分のようになり、この拡散された信号を逆拡散することによりパルス信号に復元される。逆拡散処理とは、もう一度、拡散することであり、逆拡散の前の段階でノイズとしてパルス信号があっても、図１を用いて説明したように、逆拡散処理によりパルス信号は拡散される。各ノード３においては、この逆拡散機能を利用し、サーバ信号がユーザ信号に重畳されていても、所定のユーザ信号だけを受信できるようにしている。
【００６９】
逆拡散するときには符号同期を行わなければならなく、さらに、周波数（クロック）の同期も必要である。符号同期を容易に行うために、周波数の同期は別系統で行うことにしている。
【００７０】
この周波数同期用の信号はサーバ２からパルス信号で送るが、ノード３のユーザ信号（ユーザデータ）の受信構成における逆拡散処理により、図１に示したように、パルス信号は拡散され、データ受信には影響しない。
【００７１】
符号同期は、送信時に拡散する符号と受信時に逆拡散する符号を一致させることである。ノード３やサーバ２での受信構成では、通信前に拡散符号のパターン（拡散符号種類）がわかっていても、拡散符号の先頭位置はわからない。符号同期は、この先頭位置を合わせることである。通常、これらの拡散符号は巡回符号（例えばＰＮ符号）を適用しているので、受信信号における拡散符号パターンのビット位置をずらして行けば、やがて生成する拡散符号の位相に一致する。この一致したときに符号同期が取れ、パルス信号が復元される。逆に一致しないときは、異なる符号で拡散していることになるので、拡散信号をさらに拡散していることになる。
【００７２】
ノード３やサーバ２の光ディレイライン２０や３４は、符号のビット位置をずらす役目をし、レベル判定回路２５や３９は受信強度レベルの閾値を決め、閾値以上の強度をパルス信号と判定する（符号一致時の受信と判定する）。
【００７３】
（Ｂ−２−３）第１の実施形態のコネクション確立動作（ノード間通信動作）
次に、ノード間通信を行うためにコネクション（パス）を確立する動作を、図５のシーケンス図をも参照しながら説明する。コネクション確立動作は、そのコネクション（パス）でのノード間通信のために必要となる符号の獲得動作も含まれている。
【００７４】
なお、図５は、ノード数が３個のネットワークの場合を一例として示している。また、ユーザＵ１、Ｕ２、Ｕ３は、基本的にはノード３を意味しているが、そのノード３に繋がっているユーザ端末を含めて意味していることもある。また、図５は、ユーザＵ１からの要求によってユーザう１及びＵ３のコネクションを確立する場合を示している。
【００７５】
サーバ２は、ポーリングにより、通信権（パルス信号）を各ユーザＵ１、Ｕ２、Ｕ３に巡回的にしかも休みなく付与する。なお、通信権が付与されていないユーザにおいては、そのパルス信号は、周波数同期用として機能する。なお、図５において、白丸○が通信権を獲得したユーザを示している。
【００７６】
ユーザＵ１で、ユーザＵ３に対する通信要求が発生すると（ユーザ端末が通信要求を発生する）、ユーザＵ１は通信権を獲得するまで、通信要求をサーバ２に送信することを待機し、通信権を獲得すると、通信要求をサーバ２ヘ発信する。なお、この待機時には、通信要求は、バッファメモリ１１に蓄積されている。
【００７７】
サーバ２は、ユーザＵ１からの通信要求を受信すると、この要求メッセージ（要求先の情報を含む）を全てのユーザＵ１〜Ｕ３に分配する。該当するユーザがユーザＵ３であるので、ユーザＵ３はこのメッセージを受信する。
【００７８】
ユーザＵ３（ユーザ端末）は応答を発生し、通信権を獲得するまで待機し、通信権を獲得したときに、応答をサーバ２ヘ発信する。なお、通信要求に対し、ユーザＵ３が通信できないときは、サーバ２への応答に通信不可が記載され、コネクションの確立手順は終了する。
【００７９】
サーバ２はユーザＵ３からの通信可能な応答を受信すると、この応答メッセージ及び通信に使用する符号パターンを全てのユーザＵ１〜Ｕ３に分配する。
【００８０】
該当するユーザは、ユーザＵ１及びＵ３であるので、ユーザＵ１とユーザＵ３とはこのメッセージを受信し、符号パターンを獲得する。そして、符号パターンを獲得したユーザＵ１及びＵ３は送信用及び受信用の拡散符号を設定する。
【００８１】
これにより、ユーザＵ１及びＵ３間のコネクション（通信パス）が確立し、ユーザＵ１及びＵ３間でサーバ２を介さないデータ通信（ノード間通信）が実行される。
【００８２】
データ通信が終了すると、ユーザＵ１及びＵ３はそれぞれ、サーバ２ヘの通信権を獲得したときに解除メッセージを発信する。サーバ２はそれぞれの解除メッセージを受信すると符号解除を行う。
【００８３】
なお、上述した手順中にユーザＵ２が、ユーザＵ１及びユーザＵ３以外のユーザとの通信要求が発生しても、ユーザＵ２はサーバ２の制御下で、コネクション確立を実行できる。このときのデータ通信に使用する符号は、ユーザＵ１とユーザＵ３との通信で使用しているものとは異なるパターンである。
【００８４】
（Ｂ−３）第１の実施形態の効果
以上のように、第１の実施形態によれば、光符号多重技術を使用し、送信及び受信で拡散符号を可変にすることで、ランダムにコネクションを張ることができ、しかも、コネクション毎の付与拡散符号が異なるので、互いに干渉することなく、通信を行うことができる。
【００８５】
また、第１の実施形態によれば、ユーザデータはサーバ（局装置）２を介することがないので、サーバ側の負荷が軽減し、大容量の通信ネットワークが可能となる。
【００８６】
（Ｃ）第２の実施形態
次に、本発明の光ネットワークシステム、ノード及びサーバの第２の実施形態を図面を参照しながら説明する。なお、この第２の実施形態は、光波長多重方式を利用したものである。
【００８７】
第２の実施形態が利用する波長多重方式では、信号はパルス信号であるが、波長が異なるために干渉することなく、データ通信が可能である。すなわち、上述した第１の実施形態では符号で受信すべき信号の識別を行っていたが、第２の実施形態の場合は、波長で受信すべき信号の識別を行う。また、第１の実施形態のサーバ信号はパルス信号を用いて、ノード間の通信には影響しないようにしたが、第２の実施形態の場合は、全てパルス信号であるので、サーバ用にも異なる波長を割り振ることになる。
【００８８】
（Ｃ−１）第２の実施形態の構成
（Ｃ−１−１）第２の実施形態の全体構成
図６は、第２の実施形態の光ネットワークシステム１Ａの構成を示すブロック図であり、第１の実施形態に係る図２との同一、対応部分には同一、対応符号を付して示している。
【００８９】
図６において、第２の実施形態の光ネットワークシステム１Ａも、サーバ（局装置）２及び複数（図６では７個の例）のノード３−１〜３−７が、スターカプラ４に収容されているスター状ネットワークである。
【００９０】
第２の実施形態のスターカプラ４も、サーバ２からの光信号（制御信号）を全てのノード３−１〜３−７に分配配信すると共に、あるノード３−Ｓ（Ｓは１〜７のいずれか）からの光信号を他の全てのノード３−１〜３−７（但し３−Ｓは除く）及びサーバ２に分配配信するものである。
【００９１】
第２の実施形態のサーバ２は、後述する図１０に示す詳細構成を有し、制御信号（サーバ信号）を各ノード３−１〜３−７に与えるものである。サーバ２から各ノード３−１〜３−７への制御信号は、例えばポーリング方式に従っている（図５参照）。この制御信号は、例えば、ノード間通信でのパスＰ１、Ｐ２を設定させたり、各ノード３−１〜３−７に通信権を付与したりするためのものである。
【００９２】
サーバ２には、各ノード３−１〜３−７からのユーザ信号が与えられる。このユーザ信号は、例えば、各ノード３−１〜３−７がパスＰ１、Ｐ２の設定を要求するメッセージやその解除を要求するメッセージなどが含まれているものであり、通信に供するユーザデータそのものではない。
【００９３】
各ノード３−１〜３−７はそれぞれ、図８又は図９に示す詳細構成を有し、サーバ２とは、ノード間通信のためのパスＰ１、Ｐ２の設定、解除のための通信を行い、他のノードとはノード間通信を行うものである。
【００９４】
図７は、波長割当例を示している。サーバ用波長λｓは、サーバ２が送信元又は送信先となる場合に用いられる波長である。ユーザ用波長λ１〜λｎは、ノード間通信に使用される波長であり、図６に示すように、パス（コネクション）Ｐ１、Ｐ２毎に異なる波長が割り当てられるものである。すなわち、それぞれのパスＰ１、Ｐ２が波長で識別される。パス（コネクション）Ｐ１、Ｐ２毎の波長割当ては、サーバ２が行う。
【００９５】
（Ｃ−１−２）第２の実施形態のノードの詳細構成
次に、第２の実施形態のノード３（３−１〜３−７）の詳細構成について、図８及び図９を参照しながら説明する。
【００９６】
図８において、ノード３は、ユーザデータの入出力端子ＵＩ及びＵＯと、バッファメモリ５１と、光変調器５２と、可変波長光源（ＴＬＤ）５３と、データ識別回路５４と、１×２カプラ５５と、固定波長フィルタ（Ｆ）５６と、光／電気変換器（Ｏ／Ｅ）５７と、可変波長フィルタ（ＴＦ）５８と、光／電気変換器（Ｏ／Ｅ）５９と、通信制御回路６０と、電圧制御発振器（ＶＣＯ）６１と、光信号入出力端子ＮＩ及びＮＯとを有する。
【００９７】
ユーザデータ入力端子ＵＩからのユーザデータは、バッファメモリ５１及びデータ識別回路５４に与えられる。バッファメモリ５１及びデータ識別回路５４は、上述した第１の実施形態の対応部分と同一の機能を担うものである。
【００９８】
光変調器５２は、可変波長光源５３からの所定波長の出力光を、バッファメモリ５１から出力されたユーザデータで変調して、光信号出力端子ＮＯからネットワーク側に出力するものである。
【００９９】
可変波長光源５３は、通信制御回路６０によって指示された波長の光を射出するものである。なお、可変波長光源５３からの射出光が取り得る波長範囲は、図７に示したサーバ用波長λｓ及びユーザ用波長λ１〜λｎの全範囲である。
【０１００】
通信制御回路６０は、ユーザデータの送信面からは、データ識別回路５４の識別結果（例えばユーザデータの宛先）に基づき、可変波長光源５３の波長を設定したり、バッファメモリ５１からの出力タイミングを定めたりするものである。なお、通信制御回路６０は、電圧制御発振器（ＶＣＯ）６１から与えられたクロックに同期して、バッファメモリ５１からの読出しなどを制御する。
【０１０１】
光信号入力端子ＮＩからの光信号（スターカプラ４からの光信号；波長多重信号）は、１×２カプラ５５に与えられる。１×２カプラ５５は、入力された光信号を２分岐し、一方の分岐光信号を固定波長フィルタ５６に与え、他方の分岐光信号を可変波長フィルタ５８に与えるものである。
【０１０２】
固定波長フィルタ５６は、１×２カプラ５５からの出力光信号から、上述したサーバ用波長成分λｓを抽出するものであり、抽出したサーバ用波長成分λｓの信号（サーバ信号；制御信号）を光／電気変換器５７に与えるものである。
【０１０３】
光／電気変換器５７は、固定波長フィルタ５６から与えられた光信号を電気信号に変換して通信制御回路６０に与えるものである。なお、光／電気変換器５７は、図８では省略しているが、ＰＬＬ回路を内蔵し、クロックの抽出も行う。なお、通信制御回路６０は、光／電気変換器５７から与えられたサーバ２からの制御信号に応じて、送受信動作を制御する。
【０１０４】
可変波長フィルタ５８は、１×２カプラ５５からの出力光信号から、通信制御回路６０から指示された波長成分を抽出して、光／電気変換器５９に与えるものである。なお、可変波長フィルタ５８が抽出可能な波長範囲は、ユーザ用波長λ１〜λｎの全範囲であり、ユーザ用波長λ１〜λｎのいずれかの成分を抽出する。また、通信制御回路６０は、当該ノードに他のノードとのコネクション（パス）に割り当てられた波長成分を可変波長フィルタ５８に指示する。
【０１０５】
光／電気変換器５９は、可変波長フィルタ５８から与えられた光信号を電気信号に変換して、ユーザデータ出力端子ＵＯからユーザ端末に出力するのである。
【０１０６】
図８は、必要最低限の構成で示したが、実製品を構成する際には、可変波長光源５３や可変波長フィルタ５８が正しい波長に設定されているかモニタし、補正する機能が必要である。例えば、図９に示すように、可変波長光源５３の後段に１×２カプラ６２を設け、一方の分岐光を光変調器５２に供給すると共に、他方の分岐光を波長モニタ６３に供給し、そのモニタ結果に応じて、通信制御回路６０が可変波長光源５３の設定波長を調整することが好ましく、同様に、受信側にも、１×２カプラ６４及び波長モニタ６５を付加することが好ましい。
【０１０７】
（Ｃ−１−３）第２の実施形態のサーバの詳細構成
次に、第２の実施形態のサーバ２の詳細構成について、図１０を参照しながら説明する。
【０１０８】
図１０において、サーバ２は、光変調器７１と、固定波長光源（ＬＤ）７２と、固定波長フィルタ（Ｆ）７３と、光／電気変換器（Ｏ／Ｅ）７４と、通信制御回路７５と、電圧制御発振器（ＶＣＯ）７６と、光信号入出力端子ＮＩ及びＮＯとを有する。
【０１０９】
光変調器７１は、固定波長光源７２からの所定波長の出力光を、通信制御回路７５から出力された制御データで変調して、光信号出力端子ＮＯからネットワーク側に出力するものである。
【０１１０】
固定波長光源７２は、図７に示したサーバ用波長λｓの光を射出するものである。
【０１１１】
通信制御回路７５は、コネクションの確立や解除に必要なデータや、ノード３に通信権を付与させるための制御データを光変調器７１に与えるものである。なお、通信制御回路７５は、電圧制御発振器（ＶＣＯ）７６から与えられたクロックに同期して、制御データを出力する。また、通信制御回路７５は、ネットワークで使用されているユーザ用波長を管理しており、コネクションの新たな確立時には、空きユーザ用波長をそのコネクションに割り当てる。
【０１１２】
光信号入力端子ＮＩからの光信号（スターカプラ４からの光信号；波長多重信号）は、固定波長フィルタ７３に与えられる。
【０１１３】
固定波長フィルタ７３は、入力された光信号から、上述したサーバ用波長成分λｓを抽出するものであり、抽出したサーバ用波長成分λｓの信号（ノード３が出力したユーザ信号であって、コネクション制御用の信号）を光／電気変換器７４に与えるものである。
【０１１４】
光／電気変換器７４は、固定波長フィルタ７３から与えられた光信号を電気信号に変換して通信制御回路７５に与えるものである。
【０１１５】
（Ｃ−２）第２の実施形態の動作
以下、第２の実施形態の光ネットワークシステム１Ａの動作を説明する。なお、コネクション確立動作（ノード間通信動作）に関しては、第１の実施形態とほぼ同様であり、符号の獲得が波長の獲得に変るだけなので、その説明は省略する（図５参照）。また、第２の実施形態は、波長多重技術を利用しており、符号化多重技術を用いていないので、符号の同期動作も存在しない。そのため、以下では、ノード３及びサーバ２でのデータ処理動作だけを説明する。
【０１１６】
＜ノード３の送受信動作＞
まず、ノード３内でのデータ処理（送受信動作）について、図９を用いて説明する。
【０１１７】
＜ノード３の送信動作＞
ユーザ端末からユーザデータが与えられると、そのユーザデータをバッファメモリ５１に蓄積すると共に、データ識別回路５４でデータ種類を識別し、通信制御回路６０に識別情報を渡す。通信制御回路６０は、識別情報に基づき、可変波長光源５３の波長設定を行う。また、通信制御回路６０は、可変波長光源５３の出力光の波長が正しい値かを波長モニタ６３のモニタ結果で確認し、適宜調整を行う。可変波長光源５３の波長設定が完了すると、通信制御回路６０は、バッファメモリ５１からユーザデータを出力させ、光変調器５２によって、可変波長光源５３の出力光をユーザデータで変調させてネットワーク側に出力させる。
【０１１８】
＜ノード３の受信動作＞
ネットワーク側からの光信号を、１×２カプラ５５によって、サーバ信号の処理用とユーザ信号の処理用に分岐する。
【０１１９】
サーバ信号の処理構成においては、分岐光信号から、固定波長フィルタ５６がサーバ用波長λｓの成分を抽出し、それを、光／電気変換器５７が電気信号に変換して通信制御回路６０に与える。
【０１２０】
一方、ユーザ信号の処理構成においては、分岐光信号から、可変波長フィルタ５８によって所望のユーザ信号（ノード間通信を行っているコネクションの信号）を抽出し、光／電気変換器５７によって電気信号に変換して、ユーザ端末ヘ出力する。
【０１２１】
可変波長フィルタ５８の波長設定は、サーバ２からの情報により、通信制御回路６０から行う。この際、通信制御回路６０は、選択信号（波長）が正しいかを波長モニタ６５のモニタ結果で確認し、必要ならば調整を行う。
【０１２２】
＜サーバ２の送受信動作＞
次に、サーバ２内でのデータ処理（送受信動作）について、図１０を用いて説明する。
【０１２３】
通信制御回路７５で制御情報を生成し、固定波長光源７２からの出力光を、光変調器７１によって制御情報で変調してネットワーク側に出力する。
【０１２４】
一方、ネットワーク側から与えられた光信号から、固定波長フィルタ７３によって、サーバ用波長λＳの成分を抽出し、光／電気変換器７４によって電気信号に変換して、通信制御回路７５に与える。
【０１２５】
なお、クロックについては、ユーザ間の通信はバースト的に発生するために、第１の実施形態と同様に、サーバ２が各ノード３に分配することが好ましい。クロック同期方法は、第１の実施形態と同様な方法を適用でき、その説明は省略する。
【０１２６】
（Ｃ−３）第２の実施形態の効果
以上のように、第２の実施形態によれば、光波長多重技術を利用し、送信及び受信側で波長を可変にすることで、ランダムにノード３間のコネクションを張ることができ、波長が異なるので、互いに干渉することなく、ノード間の直接のデータ通信を行うことができる。
【０１２７】
また、第２の実施形態によれば、ノード間の通信に供しているデータがサーバ（局装置）２を介すことがないので、サーバ２側の負荷が軽減し、大容量の通信が可能となる。
【０１２８】
（Ｄ）他の実施形態
上記各実施形態においては、サーバ２及びノード３間の通信はポーリング方式に従って行うものを示したが、他の方式による通信であっても良い。例えば、サーバ２だけには、各ノード３に対応した複数の受信構成を設け、サーバ２及び各ノード３間に固有の制御用の拡散符号又は波長を割当て、任意のタイミングでサーバ２及びノード３間の通信を実行できるようにしても良い。
【０１２９】
また、上記第１の実施形態では光符号化多重技術を利用し、上記第２の実施形態では波長多重技術を利用するものを示したが、これらを組み合わせた光多重技術を本発明に適用するようにしても良い。例えば、拡散符号と波長との組み合わせを、各コネクション（ノード間通信）に割り当てるようにしても良い。この場合、ノード３の光信号の受信構成は、例えば、波長成分にチューニング後に逆拡散処理することとなる。
【０１３０】
上記各実施形態においては、サーバ２がコネクションの確立、解除の制御機能しか持たないものを示したが、通常のノード３としても振る舞えるようにしても良い。
【０１３１】
【発明の効果】
以上のように、本発明の光ネットワークシステム、ノード及びサーバによれば、光符号化技術や光波長多重技術を利用し、送信及び受信側で拡散符号や波長を可変にすることで、ランダムにノード間のコネクションを張ることができ、拡散符号や波長が異なるので、互いに干渉することなく、ノード間の直接のデータ通信を行うことができる。また、ノード間の通信に供しているデータがサーバ（局装置）を介すことがないので、サーバ側の負荷が軽減し、大容量の通信が可能となる。
【図面の簡単な説明】
【図１】第１の実施形態の光ネットワークシステムの光信号の状態を示すブロック図である。
【図２】第１の実施形態の光ネットワークシステムの全体構成を示すブロック図である。
【図３】第１の実施形態のノードの詳細構成を示すブロック図である。
【図４】第１の実施形態のサーバの詳細構成を示すブロック図である。
【図５】第１の実施形態のコネクション確立動作を示すシーケンス図である。
【図６】第２の実施形態の光ネットワークシステムの全体構成を示すブロック図である。
【図７】第２の実施形態の波長割当を示す説明図である。
【図８】第２の実施形態のノードの詳細構成を示すブロック図（１）である。
【図９】第２の実施形態のノードの詳細構成を示すブロック図（２）である。
【図１０】第２の実施形態のサーバの詳細構成を示すブロック図である。
【符号の説明】
１、１Ａ…光ネットワークシステム、
２…サーバ、
３、３−１〜３−７、３−Ａ、３−Ｂ…ノード、
４…スターカプラ、
１１、５１…バッファメモリ、
１２、３３…電気／光変換器（Ｅ／Ｏ）、
１３…送信用相関器（光変調器）、
１４…送信用符号生成回路、
１５、５４…データ識別回路、
１６、５５、６２、６４…１×２カプラ、
１７…制御信号用光／電気変換器（ＰＤ）、
１８…ＰＬＬ回路、
１９、３２、６１、７６…電圧制御発振器（ＶＣＯ）、
２０、３４…光ディレイライン、
２１、３５…受信用相関器（光変調器）、
２２、３６…受信用符号生成回路、
２３、３７…受信用光／電気変換器（ＰＤ）、
２４、３８…積分回路、
２５、３９…レベル判定回路、
２６、４０…ディレイ制御回路、
２７、３０、６０、７５…通信制御回路、
３１…制御情報部、
５２、７１…光変調器、
５３…可変波長光源（ＴＬＤ）、
５６、７３…固定波長フィルタ（Ｆ）、
５７、５９、７４…光／電気変換器（Ｏ／Ｅ）、
５８…可変波長フィルタ、
６３、６５…波長モニタ、
７２…固定波長光源（ＬＤ）。
【図１】
0004221890.tif 000002
【図２】
0004221890.tif 000003
【図３】
0004221890.tif 000004
【図４】
0004221890.tif 000005
【図５】
0004221890.tif 000006
【図６】
0004221890.tif 000007
【図７】
0004221890.tif 000008
【図８】
0004221890.tif 000009
【図９】
0004221890.tif 000010
【図１０】
0004221890.tif 000011